(57)【要約】【課題】入口配管と出口配管の接続作業を簡単に行えるロータリ型圧縮機を提供する。【解決手段】シリンダ室１１６を形成するシリンダブロック１１３、ロータ１１９、シリンダブロック１１３の両端に接続されたフロントサイドブロック１１４及びリアサイドブロック１１５を有する圧縮機本体１１０と、圧縮機本体１１０を包囲し、リアサイドブロック１１５との間に吐出室１２２を形成するケーシング１１１及びフロントサイドブロック１１４との間に吸入室１２１を形成するフロントヘッド１１２と、を備えるロータリ型圧縮機であって、ケーシング１１１が、吸入ポート１２４及び該吸入ポートと吸入室１２１を連通する連通路１２４ａと、吐出ポート１２６及び吐出ポートと吐出室１２２を連通する連通路１２６ａとを備える。【選択図】図１
2005233133.tif 000002
【特許請求の範囲】
【請求項１】
シリンダ室（１１６）を形成するシリンダブロック（１１３）、前記シリンダ室（１１６）に回転自在に配置されたロータ（１１９）、前記シリンダブロック（１１３）の両端に接続されシリンダ室（１１６）の両端を閉塞するフロントサイドブロック（１１４）及びリアサイドブロック（１１５）を有し、前記ロータ（１１９）の回転によりシリンダ室（１１６）に吸入した流体を圧縮して吐出する圧縮機本体（１１０）と、
この圧縮機本体（１１０）を包囲し、該圧縮機本体（１１０）のリアサイドブロック（１１５）との間に吐出室（１２２）を形成するケーシング（１１１）及び前記圧縮機本体（１１０）のフロントサイドブロック（１１４）との間に吸入室（１２１）を形成するフロントヘッド（１１２）と、
を備えるロータリ型圧縮機であって、
前記ケーシング（１１１）が、
吸入ポート（１２４）及び該吸入ポート（１２４）と前記吸入室（１２１）とを連通する連通路（１２４ａ）と、
吐出ポート（１２６）及び該吐出ポート（１２６）と前記吐出室（１２２）とを連通する連通路（１２６ａ）と、
を備えることを特徴とするロータリ型圧縮機。
【請求項２】
請求項１に記載のロータリ型圧縮機であって、
前記吸入ポート（１２４）と前記吐出ポート（１２６）が近接配置されていることを特徴とするロータリ型圧縮機。
【請求項３】
請求項１または２に記載のロータリ型圧縮機であって、
前記フロントヘッド（１１２）から前記ロータ（１１９）の駆動軸（１１７）が突出しており、前記フロントヘッド（１１２）に、前記駆動軸（１１７）を回転駆動するための駆動機構部が取り付けられていることを特徴とするロータリ型圧縮機。
【発明の詳細な説明】
【技術分野】
【０００１】
本発明は、ベーン圧縮機のようなロータリ型圧縮機に関するものである。
【背景技術】
【０００２】
従来のロータリ型圧縮機として、例えば、特許文献１または特許文献２に開示されるようなものがある。
【０００３】
図２はその一例を示している。この圧縮機は、圧縮機本体１０と、圧縮機本体１０を気密に包囲するケーシング１１及びフロントヘッド１２とを備えている。
【０００４】
圧縮機本体１０は、シリンダブロック１３と、このシリンダブロック１３の両端に取り付けられたフロントサイドブロック１４及びリアサイドブロック１５とを備えており、これらシリンダブロック１３、フロントサイドブロック１４、リアサイドブロック１５により、シリンダ室１６を形成している。シリンダ室１６には、ロータ軸（駆動軸）１７と一体回転するロータ１９が回転可能に設けられており、ロータ１９には、ロータ１９の半径方向に進退自在に複数のベーン１８が装備されている。
【０００５】
また、この圧縮機では、フロントヘッド１２と圧縮機本体１０のフロントサイドブロック１４との間に吸入室２１が形成されており、この吸入室２１が、フロントヘッド１２に形成された吸入ポート２４に連通している。また、圧縮機本体１０のリアサイドブロック１５とケーシング１１との間に吐出室２２が形成されており、この吐出室２２が、ケーシング１１に形成された吐出ポート２６に連通している。
【０００６】
この圧縮機では、ロータ１９が回転すると、以下のように流体（冷媒）が流れる。
【０００７】
流体（冷媒）は、まず、フロントヘッド１２に形成された吸入ポート２４から、フロントヘッド１２と圧縮機本体１０のフロントサイドブロック１４との間に形成された吸入室２１を通じて、シリンダ室１６に供給される。そして、シリンダ室１６ではロータ１９の回転により流体（冷媒）が圧縮される。次に、圧縮された流体は、リアサイドブロック１５とケーシング１１との間に形成された吐出室２２を通じて、ケーシング１１に形成された吐出ポート２６から機外に吐出される。
【特許文献１】実用新案登録第２５５４８１２号公報
【特許文献２】特許２７４０５８５号公報
【発明の開示】
【発明が解決しようとする課題】
【０００８】
ところで、前記従来のロータリ型圧縮機にあっては、吸入ポート２４をフロントヘッド１２に設け、吐出ポート２６をケーシング１１に設けてあるため、両ポート２４、２６が必然的に離れた位置にあった。従って、圧縮機に入口配管（吸入側配管）と出口配管（吐出側配管）を接続する際に、互いに離れた位置にある吸入ポート２４と吐出ポート２６に配管接続しなくてはならず、配管の接続作業が一度に行えずに面倒であった。
【０００９】
本発明は、上記事情を考慮し、入口配管と出口配管の接続作業を簡単に行えるロータリ型圧縮機を提供することを目的とする。
【課題を解決するための手段】
【００１０】
請求項１の発明は、シリンダ室を形成するシリンダブロック、前記シリンダ室に回転自在に配置されたロータ、前記シリンダブロックの両端に接続されシリンダ室の両端を閉塞するフロントサイドブロック及びリアサイドブロックを有し、前記ロータの回転によりシリンダ室に吸入した流体を圧縮して吐出する圧縮機本体と、この圧縮機本体を包囲し、該圧縮機本体のリアサイドブロックとの間に吐出室を形成するケーシング及び前記圧縮機本体のフロントサイドブロックとの間に吸入室を形成するフロントヘッドと、を備えるロータリ型圧縮機であって、前記ケーシングが、吸入ポート及び該吸入ポートと前記吸入室とを連通する連通路と、吐出ポート及び該吐出ポートと前記吐出室とを連通する連通路と、を備えることを特徴とする。
【００１１】
請求項２の発明は、請求項１に記載のロータリ型圧縮機であって、前記吸入ポートと前記吐出ポートが近接配置されていることを特徴とする。
【００１２】
請求項３の発明は、請求項１または２に記載のロータリ型圧縮機であって、前記フロントヘッドから前記ロータの駆動軸が突出しており、前記フロントヘッドに、駆動軸を回転駆動するための駆動機構部が取り付けられていることを特徴とする。
【発明の効果】
【００１３】
請求項１の発明によれば、吸入ポートと吐出ポートの双方をケーシングに設けているので、入口配管及び出口配管の接続作業をケーシングだけにすればよく、一度に配管接続作業を行うことができる。従って、従来のようにケーシングとフロントヘッドの双方に別々に配管接続する場合と比べて、配管接続作業の簡素化が図れる。
【００１４】
請求項２の発明によれば、吸入ポートと吐出ポートを近接配置しているので、さらに配管接続作業を簡素化することができる。
【００１５】
請求項３の発明によれば、フロントヘッドにロータ駆動軸を回転駆動するための駆動機構部を取り付けているので、駆動機構部が邪魔にならずに、ケーシングの両ポートに対する配管接続作業を行うことができる。
【発明を実施するための最良の形態】
【００１６】
以下、本発明の実施形態を図面を参照して説明する。
【００１７】
図１は実施形態のロータリ型圧縮機の断面図である。
【００１８】
この圧縮機は、圧縮機本体１１０と、圧縮機本体１１０を気密に包囲するケーシング１１１及びフロントヘッド１１２とを備えている。ケーシング１１１とフロントヘッド１１２の合わせ目は、Ｏリング１５２を介して気密に接合されている。
【００１９】
圧縮機本体１１０は、シリンダブロック１１３と、このシリンダブロック１１３の両端に取り付けられたフロントサイドブロック１１４及びリアサイドブロック１１５とを備えており、これらシリンダブロック１１３、フロントサイドブロック１１４、リアサイドブロック１１５により、シリンダ室１１６を形成している。シリンダ室１１６には、ロータ軸（駆動軸）１１７と一体回転するロータ１１９が回転可能に設けられており、ロータ１１９には、ロータ１１９の半径方向に進退自在に複数のベーン（図示略）が装備されている。
【００２０】
また、この圧縮機では、フロントヘッド１１２と圧縮機本体１１０のフロントサイドブロック１１４との間に吸入室１２１が形成され、圧縮機本体１１０のリアサイドブロック１１５とケーシング１１１との間に吐出室１２２が形成されている。
【００２１】
また、この圧縮機では、吸入ポート１２４及び吐出ポート１２６の双方が共に、フロントヘッド１１２から一番離れたケーシング１１１の後端側の位置に近接配置されており、ケーシング１１１内に形成した連通路１２４ａ、１２６ａを介して、それら吸入ポート１２４及び吐出ポート１２６が、それぞれ前記吸入室１２１及び吐出室１２２に連通している。なお、吸入ポート１２４と吸入室１２１との連通は、この実施形態のようにケーシング１１１内の連通路１２４ａのみを介して連通される場合に限られず、例えば連通路１２４ａおよびこの連通路１２４ａに連通するフロントヘッド１１２内に形成された連通路を介して行ってもよい。
【００２２】
また、ロータ１１９に回転力を伝えるロータ駆動軸１１７の端部は、フロントヘッド１１２からシール１５１を介して外部に突き出しており、そのロータ駆動軸１１７の端部に回転駆動力を与えるための駆動機構部（図示略）が、フロントヘッド１１２に取り付けられるようになっている。駆動機構部の例としては、駆動用のモータや駆動力伝達手段であるプーリ等を挙げることができる。
【００２３】
この圧縮機では、ロータ１１９が回転すると、以下のように流体（冷媒）が流れる。図中黒い矢印が流体の流れる方向を示している。
【００２４】
流体（冷媒）は、まず、ケーシング１１１に形成された吸入ポート１２４から、連通路１２４ａを介して、フロントヘッド１１２と圧縮機本体１１０のフロントサイドブロック１１４との間に形成された吸入室１２１に流れ、この吸入室１２１を通じてシリンダ室１１６に供給される。そして、シリンダ室１１６ではロータ１１９の回転により流体（冷媒）が圧縮される。次に、圧縮された流体は、リアサイドブロック１１５とケーシング１１との間に形成された吐出室２２及び連通路１２６ａを通じて、ケーシング１１１に形成された吐出ポート１２６から機外に吐出される。
【００２５】
この圧縮機の場合、吸入ポート１２４と吐出ポート１２６の双方をケーシング１１１に設けているので、入口配管及び出口配管の接続作業をケーシング１１１に対して行うだけでよく、一度に配管接続作業を面倒なく行うことができる。従って、従来のようにケーシングとフロントヘッドの双方に別々に配管接続する場合と比べて、配管接続作業の簡素化が図れる。
【００２６】
特に、吸入ポート１２４と吐出ポート１２６は近接配置してあるので、配管接続作業は極めて簡単に行うことができる。
【００２７】
また、吸入ポート１２４及び吐出ポート１２６から離れたフロントヘッド１１２に、ロータ駆動軸１１７を回転駆動するための駆動機構部を取り付けるようにしてあるので、駆動機構部が邪魔にならずに、ケーシング１１１の両ポート（吸入ポート１２４及び吐出ポート１２６）に対する配管接続作業を行うことができる。
【図面の簡単な説明】
【００２８】
【図１】本発明の実施形態のロータリ型圧縮機の断面図である。
【図２】従来例のロータリ型圧縮機の断面図である。
【符号の説明】
【００２９】
１１０  圧縮機本体
１１１  ケーシング
１１２  フロントヘッド
１１３  シリンダブロック
１１４  フロントサイドブロック
１１５  リアサイドブロック
１１６  シリンダ室
１１７  ロータ駆動軸
１１９  ロータ
１２１  吸入室
１２２  吐出室
１２４  吸入ポート
１２４ａ  連通路
１２６  吐出ポート
１２６ａ  連通路
【図１】
2005233133.tif 000003
【図２】
2005233133.tif 000004